(57)【特許請求の範囲】
【請求項１】
秒同期点ごとに所定の信号波形を有するタイムコード信号の受信を行って時刻修正を行う電波時計であって、
前記秒同期点を表わす信号波形の受信タイミングの検出を行うタイミング計測部と、
前記秒同期点を表わす信号波形の受信タイミングの時間的なばらつき量を算出するばらつき量算出手段と、
このばらつき量算出手段により算出された前記ばらつき量に応じて処理内容を切り換える処理切換手段と、
前記タイミング計測部による前記受信タイミングの複数回の検出に基づいて秒同期点のずれ量の平均値を算出する秒同期算出手段と、を備え、
前記処理切換手段は、
前記ばらつき量に応じて前記秒同期算出手段の平均値の算出に使用するサンプル数を変化させることを特徴とする電波時計。
【請求項２】
前記ばらつき量算出手段は、
前記タイミング計測部による前記受信タイミングの複数回の検出に基づいて前記ばらつき量の算出を行うことを特徴とする請求項１記載の電波時計。
【請求項３】
計時を行う内部時計を備え、
前記ばらつき量算出手段は、
前記受信タイミングと前記内部時計の秒同期点との時間差の標準偏差を算出して前記ばらつき量とすることを特徴とする請求項２記載の電波時計。
【請求項４】
前記処理切換手段は、
前記ばらつき量が所定量以上であった場合に前記タイムコード信号の受信を中止させることを特長とする請求項１〜３の何れか１項に記載の電波時計。
【請求項５】
図柄の表示が可能な表示部を備え、
前記処理切換手段は、
前記ばらつき量に応じた表示を前記表示部に行わせることを特徴とする請求項１〜４の何れか１項に記載の電波時計。
【請求項６】
前記タイムコード信号の受信チャンネルを切り換えるチャンネル切換手段を有し、
前記処理切換手段は、
前記ばらつき量が所定量以上であった場合に前記受信チャンネルを切り換えることを特徴とする請求項１〜５の何れか１項に記載の電波時計。
【発明の詳細な説明】
【技術分野】
【０００１】
この発明は、タイムコード信号の受信を行う電波時計に関する。
【背景技術】
【０００２】
従来、年月日時分秒の情報が示されるタイムコード信号を受信して自動的に時刻修正を行う電波時計が知られている。タイムコード信号は、例えば、４０ｋＨｚや６０ｋＨｚの電波を搬送波とした標準電波により伝送される。
【０００３】
タイムコード信号において、年月日、時分はそのタイムコードの内容により示されるが、秒についてはタイムコードを構成する各データパルス信号の所定の信号波形位置により示される。例えば、日本の標準電波では各データパルス信号の立ち上がり点が秒同期点とされる。また、外国の標準電波の中には各データパルス信号の立下り点を秒同期点とするものもある。そして、これらの秒同期点によりゼロ秒の時間位置が示される。
【０００４】
ところで、電波の弱い場所やノイズの多い場所でタイムコード信号の受信を行った場合、ＳＮ比（信号対雑音比）の低下に伴ってタイムコード信号の秒同期点の検出にタイムジッタ（時間軸方向の揺らぎ）が発生する。したがって、従来の電波時計において秒の修正処理を行う場合、タイムコード中の秒同期点の検出を複数回行って、そのずれ量の平均値を算出し、この平均値に従って内部時計のゼロ秒位置の修正を行うのが通常であった（例えば特許文献１）。
【特許文献１】特開２００２−９０４８２号公報
【発明の開示】
【発明が解決しようとする課題】
【０００５】
電波状況の悪い状態でタイムコード信号を受信する場合、上述のように、秒同期点の検出に比較的大きなタイムジッタが生じるため、秒の修正処理を正確に行うには、秒同期点の検出回数を多くし、すなわち、秒同期点のずれ量を表わすサンプル数を多くして、これら多数のサンプルを用いてずれ量の平均値を算出するようにすると良い。しかしながら、このような処理を行う場合、例えば、秒同期点のずれ量のサンプルを３０個取得するのに３０秒間の信号受信を続けなければならないなど、比較的長い時間が必要となる。
【０００６】
一方、電波状況の良い状態では、秒同期点の検出に大きなタイムジッタが生じないため、少ない秒同期点の検出でも正確な秒の修正処理を行うことが出来る。
【０００７】
従って、電波状況の悪い場合に合わせて一律の内容で秒の修正処理を行ったのでは、電波状況の良い場合には平均値演算に無駄な時間が発生するという課題が生ずる一方、電波状況の良い場合に合わせて一律の内容で秒同期処理を行ったのでは、内部時計の正確なゼロ秒修正が困難になるという課題が生じた。
【０００８】
また、上記のゼロ秒の修正処理に拘らず、電波状況の良否に応じて、適宜、処理内容を切り換えることで、電波受信や時刻修正の処理に関して状況に即した適切な処理を実現できるという場面は多々あると考えられた。
【０００９】
この発明の目的は、電波受信や時刻修正の処理に関して、電波状況の良否に応じて適宜な処理の切り換えを実現できる電波時計を提供することにある。
【課題を解決するための手段】
【００１０】
上記目的を達成するため、請求項１記載の発明は、秒同期点ごとに所定の信号波形を有するタイムコード信号の受信を行って時刻修正を行う電波時計であって、前記秒同期点を表わす信号波形の受信タイミングの検出を行うタイミング計測部と、前記秒同期点を表わす信号波形の受信タイミングの時間的なばらつき量を算出するばらつき量算出手段と、算出された前記ばらつき量に応じて処理内容を切り換える処理切換手段と、前記タイミング計測部による前記受信タイミングの複数回の検出に基づいて秒同期点のずれ量の平均値を算出する秒同期算出手段と、を備え、前記処理切換手段は、前記ばらつき量に応じて前記秒同期算出手段の平均値の算出に使用するサンプル数を変化させることを特徴としている。
【００１１】
請求項２記載の発明は、請求項１記載の電波時計において、前記ばらつき量算出手段は、前記タイミング計測部による前記受信タイミングの複数回の検出に基づいて前記ばらつき量の算出を行うことを特徴としている。
【００１２】
請求項３記載の発明は、請求項２記載の電波時計において、計時を行う内部時計を備え、計時を行う内部時計を備え、前記ばらつき量算出手段は、前記受信タイミングと前記内部時計の秒同期点との時間差の標準偏差を算出して前記ばらつき量とすることを特徴としている。
【００１４】
請求項４記載の発明は、請求項１〜３の何れか１項に記載の電波時計において、前記処理切換手段は、前記ばらつき量が所定量以上であった場合に前記タイムコード信号の受信を中止させることを特長としている。
【００１５】
請求項５記載の発明は、請求項１〜４の何れか１項に記載の電波時計において、図柄の表示が可能な表示部を備え、前記処理切換手段は、前記ばらつき量に応じた表示を前記表示部に行わせることを特徴としている。
【００１６】
請求項６記載の発明は、請求項１〜５の何れか１項に記載の電波時計において、前記タイムコード信号の受信チャンネルを切り換えるチャンネル切換手段を有し、前記処理切換手段は、前記ばらつき量が所定量以上であった場合に前記受信チャンネルを切り換えることを特徴としている。
【発明の効果】
【００１７】
本発明に従うと、秒同期点の受信タイミングのばらつき量を算出することで電波状況の良否を検出し、それに応じて適宜処理内容を切り換えることで、電波受信や時刻修正に関して状況に即した適切な処理を実現できるという効果が得られる。
【発明を実施するための最良の形態】
【００１８】
以下、本発明の実施の形態を図面に基づいて説明する。
【００１９】
図１は、本発明の実施の形態の電波時計の内部構成を示すブロック図である。
【００２０】
この実施の形態の電波時計１は、タイムコードの示される標準電波を受信して自動的な時刻修正を行う電波時計である。この電波時計１には、図１に示されるように、電波を受信する受信アンテナ１１と、受信電波から選択された受信チャンネルの信号を取り込んでタイムコード信号ＴＣ０を復調する検波ＩＣ（集積回路）１２と、復調されたタイムコード信号ＴＣ０を入力して時刻修正など種々の制御処理を行うコントローラ２０と、現在時刻の計時を行う内部時計１４と、ユーザに時刻表示等を行う表示部１５等を備えている。
【００２１】
コントローラ２０には、タイムコード信号ＴＣ０をデジタル変換するＡＤコンバータ２１と、タイミングコード信号ＴＣ０の秒同期点のタイミング検出等を行うタイミング計測部２２と、秒同期点のずれ量に対してその平均値Ｃａや標準偏差Ｓを演算する計算部２３と、計算部２３の演算結果に基づいて電波受信や時刻修正に関する制御を行う時刻修正制御部２４等が設けられている。これらの構成のうち、計算部２３によりばらつき量算出手段と秒同期算出手段とが構成され、時刻修正制御部２４により処理切換手段と時刻修正手段とが構成されている。
【００２２】
検波ＩＣ１２は、チャンネル切換手段として、アンテナ１１の同調特性や内部フィルタのフィルタ特性を切り換える構成を有し、これらを切り換えることで、４０ｋＨｚの標準電波と、６０ｋＨｚの標準電波との受信チャンネルを変更して、選択された受信チャンネルの信号を復調処理するように構成されている。
【００２３】
タイミング計測部２２は、ＡＤコンバータ２１からの出力と、内部時計１４からの秒パルスＳｉとを入力し、これらを比較することで、タイムコード信号ＴＣ０中の秒同期点と内部時計１４の秒同期点（ゼロ秒位置）とのずれ量を検出するようになっている。
【００２４】
図２には、受信したタイムコード信号ＴＣ０と内部時計の秒パルスＳｉとを示すタイムチャートである。
【００２５】
日本における標準電波において、タイムコード信号ＴＣ０は、データパルスＤＰ１〜ＤＰ５…が１秒間隔に１個ずつ配される形式であり、これら各データパルスＤＰ１〜ＤＰ５…の立ち上がり点がゼロ秒位置を表わす秒同期点ｔ０となっている。なお、タイムコード信号ＴＣ０においてデータパルスＤＰ１〜ＤＰ５…は、そのパルス幅によりデータ種が識別され、６０秒間分のデータパルスの配列により年月日時分等の情報が示されるようになっている。一方、内部時計１４の秒パルスＳｉは、例えば、内部時計１４のゼロ秒位置に立ち上がり点を有し、１秒の間にハイレベルからローレベルに１回切り換わって、再び、次の１秒の開始点でハイレベルとなるパルス信号である。
【００２６】
タイミング計測部２２は、内部時計１４の秒パルスＳｉの立ち上がり点から、次のタイムコード信号ＴＣ０の秒同期点ｔ０までの時間間隔を、内部カウンタ等により計数して、そのカウンタ値Ｃ１〜Ｃ５…をずれ量のデータとして計算部２３へ出力するようになっている。
【００２７】
計算部２３は、上記タイミング計測部２２から入力されたカウンタ値を複数個蓄積して、これらから秒同期点のずれ量の平均値Ｃａと標準偏差Ｓとを演算するものである。これらの演算を行うのに用いるサンプルの数ｎは、時刻修正制御部２４からの指定により、適宜変更可能になっている。
【００２８】
時刻修正制御部２４は、計算部２３からの平均値Ｃａの演算結果を受けて、これに基づき、内部時計１４のゼロ秒位置の修正を行ったり、標準電波の受信の開始時と終了時に検波ＩＣ１２にＯＮ／ＯＦＦ信号を出力して検波ＩＣ１２をアクティブにしたり、或いは停止したり可能になっている。また、検波ＩＣ１２にチャンネル切換信号を出力して受信チャンネルを切り換えたり、表示部１５に表示コマンドを出力して表示画面１５Ａに表示されるアンテナ表示Ｈ１の内容を変更することが可能になっている。図１に示すように、このアンテナ表示Ｈ１は、アンテナ図柄横の縦棒の本数により電波状況の良し悪しを表示するようになっている。
【００２９】
なお、上記のタイミング計測部２２、平均値Ｃａや標準偏差Ｓを算出する計算部２３、および、時刻修正制御部２４は、ロジック回路等によりハードウェアとして構成しても良いし、ＣＰＵの演算処理により実現されるソフトウェアとして構成しても良い。また、図１においては、タイムコード信号をデコードして年月日や時分等の情報を取得する構成や、内部時計１４の年月日時分の情報を修正する構成を省略しているが、このような構成を付加するようにしても良い。
【００３０】
図３には、電波状況の良否に基づく秒同期点のずれ量のばらつきを表したヒストグラムを示す。
【００３１】
タイムコード信号ＴＣ０内の各データパルスＤＰ１〜ＤＰ５…の立ち上がり点（秒同期点ｔ０）は理想的には１秒間隔で整っている。しかしながら、標準電波の電波レベルが弱かったり同一周波数帯のノイズが多いなど電波状況が悪い場合には、タイムコード信号ＴＣ０を受信した際にノイズ等の影響が受信信号のタイムジッタとして現れる。従って、タイムコード信号ＴＣ０中の秒同期点ｔ０の検出タイミングは時間的に揺らいで、その周期長にばらつきが発生する。
【００３２】
この秒同期点ｔ０の検出タイミングのばらつきは、ランダムなノイズの影響によるものであるため、図３に示されるような正規分布にしたがって分布されると考えられる。そして、良好な受信状態であれば標準偏差の小さな正規分布に、悪い受信状態であれば標準偏差の大きな正規分布にしたがうと考えられる。従って、検出された秒同期点のずれ量に対して、標準偏差の演算を行うことで、そのときの受信状態の良否を判断することが可能となる。
【００３３】
次に、上記のように構成された電波時計１の動作についてフローチャートを参照しながら説明する。
【００３４】
図４は、タイミング計測部の処理内容を表したフローチャートである。
【００３５】
タイミング計測部２２において秒同期点のずれ量の計測処理は、次のように行われる。すなわち、例えば、タイミング計測部２２に計測開始のコマンドが発行されると、図４の処理が開始され、まず、ＡＤコンバータ２１からのタイムコードの入力の有無を確認する（ステップＳ１）。そして、タイムコードの入力が無ければそのままこの計測処理を終了するが、タイムコードの入力があれば、続くステップＳ２に移行する。ステップＳ２では、まず、秒同期点のずれ量検出のために内部カウンタをクリアする初期化処理を行う。
【００３６】
次いで、順次、内部カウンタのカウントアップ（ステップＳ３）、秒パルスＳｉの立ち上がりの確認（ステップＳ４）、タイムコードの立ち上がりの確認（ステップＳ５）を行い、秒パルスＳｉの立ち上がりやタイムコードの立ち上がりが確認されない場合には、これらステップＳ３〜Ｓ５のループ処理を繰り返す。これにより、タイミング計測部２２の内部カウンタが、短い一定時間ごとにカウントアップされていく。
【００３７】
そして、上記のループ処理の途中で、秒パルスＳｉの立ち上がり、すなわち、内部時計１４のゼロ秒位置が来ると、ステップＳ４の確認処理でそれが確認されて、ステップＳ１に移行される。そして、ステップＳ２で内部カウンタの値がクリアされて、再び、ステップＳ３〜Ｓ５のループ処理に移行する。
【００３８】
さらに、上記のループ処理の途中で、標準電波によるタイムコードの立ち上がり、すなわち、タイムコードの秒同期点の受信タイミングになると、ステップＳ５の確認処理でそれが確認されて、ステップＳ６に移行される。そして、ステップＳ６において内部カウンタのカウンタ値を計算部２３に出力し、その後、再びステップＳ１の処理に戻る。
【００３９】
このような処理により、タイミング計測部２２の内部カウンタでは、図２に示したように、内部時計１４の秒パルスＳｉのゼロ秒位置からタイムコードの秒同期点の受信タイミングまでの時間間隔が計数され、この時間間隔を表わすカウンタ値（Ｃ１〜Ｃ５…）が計算部２３に順次出力される。
【００４０】
図５には、コントローラ２０の内部処理により実行される電波受信処理の内容を表したフローチャートを示す。
【００４１】
計算部２３と時刻修正制御部２４では、電波受信処理の開始コマンドが発行されることで、図５の電波受信処理を開始する。上記の開始コマンドは、例えば、所定周期ごとに発行されるようにしたり、ユーザからの操作に基づき発行されるようにしたり、あるいは、図示しない他の制御部の制御動作に基づき発行されるように構成すると良い。
【００４２】
電波受信処理が開始されると、まず、ステップＳ１１ａにおいて時刻修正制御部２４から検波ＩＣ１２にオン信号が出力されて、検波ＩＣ１２がアクティブにされる。これにより、検波ＩＣ１２においてタイムコード信号ＴＣ０が復調されて、ＡＤコンバータ２１を介してタイミング計測部２２に入力される。そして、タイミング計測部２２から内部時計１４とタイムコード信号ＴＣ０の秒同期点のずれ量を表わすカウンタ値Ｃ１〜Ｃ５…が出力される。次いで、ステップＳ１１ｂにおいてサンプル値ｎを初期値にするなどの初期化処理を行って、続くステップＳ１２に移行する。
【００４３】
ステップＳ１２では、タイミング計測部２２から入力されるカウンタ値（タイムコード信号ＴＣ０の秒同期点のずれ量）をｎ秒分取得する。ここで、ｎ値は初期化時に例えば「４」などばらつき量をある程度算出できる数に設定される。そして、ステップＳ１３において、計算部２３により取得したカウンタ値の平均値Ｃａと標準偏差Ｓとを算出する。
【００４４】
標準偏差Ｓが算出されたら、次に、この標準偏差Ｓの値に応じた分岐処理を行う。まず、標準偏差Ｓがゼロに近い場合（例えばゼロに近い第１しきい値以下であった場合）、ステップＳ１４の分岐処理でステップＳ１５に移行して、順次、表示部１５のアンテナ表示Ｈ１において縦棒を３本表示させる表示コマンドを出力する処理（ステップＳ１５）と、内部時計１４の秒データを上記算出された平均値Ｃａ分進める修正処理（ステップＳ１６）とを行って、ステップＳ２５にジャンプする。
【００４５】
このような処理により、電波状況が良好で、上記カウント値の標準偏差Ｓが小さい値となったときには、例えば、４秒分のカウント値から内部時計１４のゼロ秒位置のずれ量を割り出して、それにより内部時計１４のゼロ秒位置の修正が行われるようになっている。
【００４６】
一方、標準偏差Ｓが中くらいの値であった場合（例えば、中くらいの値の境界を表わす第２しきい値と、第１しきい値との間であった場合）、ステップＳ１７の分岐処理によりステップＳ１８に移行して、まず、標準偏差Ｓに対応するサンプル数の値を取得する。この値は、例えばデータテーブルから取得したり、所定の計算式に基づいて取得したりすることが出来る。データテーブルを使用する場合には、予め標準偏差Ｓに対応するサンプル数の値を格納したデータテーブルを用意しておく。いずれにせよ、サンプル数の値は、標準偏差Ｓが大きくなったら大きくなり、標準偏差Ｓが小さくなったら小さくなるような値に適宜設定される。
【００４７】
次いで、ステップＳ１９において、標準偏差Ｓに対応するサンプル数のカウンタ値をステップＳ１２の処理にて既に取得ずみか否かを確認する。そして、取得済みであればステップＳ１６に移行し、取得済みでなければステップＳ２０に移行する。その結果、取得済みでなくステップＳ２０に移行したら、次のステップＳ１２の処理で取得するカウンタ値のサンプル数を表わすｎ値を、先のステップＳ１８で取得した標準偏差Ｓに対応する値に更新し（ステップＳ２０）、続いて、表示部１５のアンテナ表示Ｈ１（図１）において縦棒の表示を１本又は２本にする表示コマンドを出力する（ステップＳ２１）。そして、ステップＳ１２に戻る。
【００４８】
このような処理により、次にステップＳ１２に戻った際に、ｎ値の増加分のカウンタ値がさらに取得され、続くステップＳ１３で、これらの増加分を含めたカウンタ値の平均値Ｃａと標準偏差Ｓの値とが計算されることとなる。
【００４９】
一方、ステップＳ１９の判別処理で取得済みと確認されてステップＳ１６に移行したら、増加されたサンプル数ｎ個分のカウンタ値から算出された平均値Ｃａに基づいて、内部時計１４の秒データを修正し、ステップＳ２５に移行する。
【００５０】
このような、ステップＳ１７〜ステップＳ２１の処理、および、ステップＳ２１から戻って繰り返されたステップＳ１２，Ｓ１３，Ｓ１６の処理により、電波状況が中程度で標準偏差Ｓの値が中程度となるときには、標準偏差Ｓの大きさに従ってサンプル数が多くされ、サンプル数を多くして計算されたカウンタ値の平均値Ｃａを用いて、内部時計１４のゼロ秒位置の修正が行われるようになっている。
【００５１】
また、標準偏差Ｓが大きな値となった場合には、ステップＳ１４，Ｓ１７の分岐処理で共に“ＮＯ”の選択が行われてステップＳ２２に移行する。そして、該ステップにおいて、レジスタ内の周波数切換フラグを確認するなどして、受信チャンネルのすべてで標準電波の受信を行ったか否かを確認する。そして、全受信チャンネルで受信済みであればさらに切り換える受信チャンネルはないとして、そのままステップＳ２５に移行するが、まだ、受信していない受信チャンネルがあればステップＳ２３に移行する。
【００５２】
ステップＳ２３では、時刻修正制御部２４からチャンネル切換信号を検波ＩＣ１２に出力して、例えば４０ｋＨｚの受信チャンネルから６０ｋＨｚの受信チャンネルへ、或いは、その逆に、受信チャンネルの切り換えを行う。また、この受信チャンネルの切り換え時には、上記の周波数切換フラグに値をセットして、すべての受信チャンネルへの切り換えが行われたか否かが認識可能なようにされる。さらに、受信チャンネルを切り換えた際には、ステップＳ１２の処理で以前に取得していたカウンタ値をクリアする。
【００５３】
次いで、ステップＳ２４において、表示部１５のアンテナ表示Ｈ１において縦棒の表示を０本にする表示コマンドを出力する処理を行って（ステップＳ２４）、再び、ステップＳ１２に戻る。
【００５４】
このようにステップＳ２２〜Ｓ２４の処理、および、ステップＳ２４から戻って繰り返されるステップＳ１２以降の処理により、新たに切り換えられた受信チャンネルでタイムコード信号ＴＣ０の受信が行われ、この受信チャンネルにおいて始めからｎ秒分のカウンタ値の取得と、カウンタ値の平均値Ｃａおよび標準偏差Ｓの計算等の処理が繰り返されることとなる。
【００５５】
そして、上記の各分岐処理の結果、ステップＳ２５に移行したら、該ステップで時刻修正制御部２４から検波ＩＣ１２にオフ信号が出力され、それにより検波ＩＣ１２の動作が停止される。そして、この電波受信処理が終了される。
【００５６】
以上のように、この実施形態の電波時計１によれば、タイムコード信号ＴＣ０の秒同期点ｔ０の受信タイミングのばらつき量を、上記タイミング計測部２２から出力されるカウント値の標準偏差Ｓにより求め、この標準偏差Ｓの値に応じて適宜処理を切り換えるので、電波受信や時刻修正に関して電波状況の良否に即した適切な処理を実現することが出来る。
【００５７】
また、例えば４秒分など複数秒分のカウント値から標準偏差Ｓを算出し、秒同期点ｔ０の受信タイミングのばらつき量としているため、どのような状況下でも一定の確度で秒同期点ｔ０の受信タイミングのばらつき量を求めることが出来る。
【００５８】
また、標準偏差Ｓが比較的大きな値である場合には、カウント値のサンプル数を増加させて平均値Ｃａを計算し、この平均値Ｃａを内部時計１４のゼロ秒修正に使用するようになっているので、電波状況の良好な場合には、少ないサンプル数で短時間にゼロ秒修正を完了させ、電波状況があまり良好でない場合には、ある程度時間をかけて正確なゼロ秒修正を行うことが可能となる。
【００５９】
また、表示部１５に電波状況を表わすアンテナ表示Ｈ１がなされるので、ユーザに電波状況を知らせることも出来る。
【００６０】
また、標準偏差Ｓが大きくて電波状況が悪いと判断された場合に、可能であれば受信チャンネルの切り換えを行って、再度、始めから受信処理を行うので、一つの受信チャンネルでは電波状況が悪いが、他の受信チャンネルでは電波状況が良好である場合などに、適宜な受信チャンネルの切り換えを行うことが出来る。
【００６１】
また、標準偏差Ｓが大きくてゼロ秒修正の受信状況に適さないような場合には、それ以上の電波受信処理を中止させて、内部時計１４の修正処理も行わないようになっているので、無駄な消費電力を削減し、内部時計１４のデータを余計に狂わせてしまうことを回避することが出来る。
【００６２】
なお、本発明は、上記実施の形態に限られるものではなく、様々な変更が可能である。例えば、例えば、秒同期点ｔ０の受信タイミングのばらつき量として、複数のカウント値（秒同期点のずれ量）の標準偏差Ｓを適用しているが、その他、種々の値を上記ばらつき量として適用することが可能である。例えば、複数のカウント値の分散値、平均偏差、レンジ値（＝最小ばらつき量と最大ばらつき量との差）などを適用することが出来る。
【００６３】
また、複数のカウント値を取得しなくても、１個のカウント値のみで、秒同期点ｔ０の受信タイミングのばらつき量をある程度判断することも出来る。すなわち、内部時計１４は一日で秒の狂いが０．５秒以内となることが分かっている。そのため、例えば、１時間前にゼロ秒修正を行っているのに、今回のゼロ秒修正の処理において秒同期点ｔ０の受信タイミングが内部時計１４の秒同期点より０．５秒近くずれているような場合には、電波状況が悪くてタイムジッタが非常に大きいと判断することが出来る。従って、このよう処理により、１個のカウント値のみで上記ばらつき量の大小判断を行うようにしても良い。
【００６４】
また、表示部１５に表示される電波状況の良否を示す表示内容として、図柄によるアンテナ表示Ｈ１を例示したが、その他、数値表示としたり、針の振れ量として表示するようにしても良い。その他、本実施形態で具体的に示した細部構造や細部処理方法は発明の主旨を逸脱しない範囲で適宜変更可能である。
【図面の簡単な説明】
【００６５】
【図１】本発明の実施の形態の電波時計の内部構成を示すブロック図である。
【図２】受信したタイムコードの秒同期点と内部時計の秒パルスとを示すタイムチャートである。
【図３】電波状況の良否に基づく秒同期点のずれ量のばらつきを表したヒストグラムを示す。
【図４】タイミング計測部の処理内容を表したフローチャートである。
【図５】コントローラの内部処理により実行される電波受信処理の内容を表したフローチャートである。
【符号の説明】
【００６６】
１      電波時計
１１    アンテナ
１２    検波ＩＣ
１４    内部時計
１５    表示部
Ｈ１    アンテナ表示
２０    コントローラ
２１    ＡＤコンバータ
２２    タイミング計測部
２３    計算部
２４    時刻修正制御部
【図１】
0005023841.tif 000002
【図２】
0005023841.tif 000003
【図３】
0005023841.tif 000004
【図４】
0005023841.tif 000005
【図５】
0005023841.tif 000006